(57)【要約】      （修正有）【課題】プリフォームがボトルにブロー成形された際、同時に把手をボトル上に固定することができるプラスチック容器のボトルブローモジュールを提供する。【解決手段】可動支持部、プリフォーム定位機構、把手定位機構及びボトルブロー金型を備える。ボトルブロー金型は開いた状態と閉じた状態を有し、可動支持部に設置される。プリフォーム定位機構及び把手定位機構はボトルブロー金型の上方に設置され、それぞれプリフォーム及び把手を保持し、上下にスライドする。ボトルブロー金型が開いた状態の時、把手定位機構が把手をボトルブロー金型内へ上から下に嵌め込む。ボトルブロー金型が閉じた状態の時、把手を正確な位置へ固定し、プリフォーム定位機構はプリフォームをボトルブロー金型内へ上から下に位置調節を行い、同時にプリフォームの口をボトルブロー金型に押さえつける。【選択図】図２Ｃ
0003167249.tif 000002
【実用新案登録請求の範囲】
【請求項１】
把手（２０）及びプリフォーム（１０）を個別に嵌め込むプラスチック容器の把手及びプリフォームを嵌め込むボトルブローモジュールであって、
可動支持部（３０）と、前記プリフォーム（１０）を保持するプリフォーム定位機構（５０）と、前記把手（２０）を保持する把手定位機構（６０）と、開いた状態及び閉じた状態を有するボトルブロー金型（４０）と、を備え、
前記ボトルブロー金型（４０）は前記可動支持部（３０）に設置され、前記ボトルブロー金型（４０）が開いた状態になる時、前記把手（２０）は前記把手定位機構（６０）により前記ボトルブロー金型（４０）の上方に保持され、
前記ボトルブロー金型（４０）が開いた状態の時、前記プリフォーム定位機構（５０）は前記プリフォーム（１０）を保持し、前記把手定位機構（６０）が前記プリフォーム（１０）の軸の向きに対して平行に、前記把手（２０）を前記ボトルブロー金型（４０）内へ上から下に嵌め込み、
前記ボトルブロー金型（４０）が閉じた状態の時、キャビティ（４３）が形成され、前記把手（２０）を前記ボトルブロー金型（４０）内へ固定され、前記キャビティ（４３）内に位置調整され、前記プリフォーム定位機構（５０）は前記プリフォーム（１０）を前記ボトルブロー金型（４０）内へ軸の向きに対して平行に上から下へ位置調節を行い、同時に前記プリフォーム（１０）の口を前記ボトルブロー金型（４０）に押さえつける、
ことを特徴とする、プラスチック容器の把手及びプリフォームを嵌め込むボトルブローモジュール。
【請求項２】
前記プリフォーム定位機構（５０）はプリフォームホルダー（５１）と、圧迫部（５２）と、圧迫槽（５３）と、を備え、
前記プリフォームホルダー（５１）は前記ボトルブロー金型（４０）の上方に設置され、前記プリフォーム（１０）を保持し、上下にスライドし、
前記把手定位機構（６０）は把手ホルダー（６１）と、スライドレール（６２）と、を備え、
前記把手ホルダー（６１）は前記ボトルブロー金型（４０）の上方に設置され、前記把手（２０）を保持し、上下にスライドすることを特徴とする、請求項１に記載のプラスチック容器の把手及びプリフォームを嵌め込むボトルブローモジュール。
【請求項３】
前記プリフォーム定位機構（５０）は前記ボトルブロー金型（４０）の上方に設置され、前記ボトルブロー金型（４０）が開いた状態の時、前記圧迫槽（５３）を利用し、前記プリフォーム（１０）を前記プリフォームホルダー（５１）により保持することを特徴とする、請求項２に記載のプラスチック容器の把手及びプリフォームを嵌め込むボトルブローモジュール。
【請求項４】
保持された前記プリフォーム（１０）はボトルブロー金型（４０）が閉じた状態の時、前記圧迫槽（５３）を利用し、前記プリフォーム（１０）を前記ボトルブロー金型（４０）内へ軸の向きと平行に上から下へと位置調節し、前記圧迫部（５２）が前記プリフォーム（１０）の口を前記ボトルブロー金型（４０）に押さえつけることを特徴とする、請求項３に記載のプラスチック容器の把手及びプリフォームを嵌め込むボトルブローモジュール。
【請求項５】
前記把手定位機構（６０）は前記ボトルブロー金型（４０）の上方に設置され、前記ボトルブロー金型（４０）が開いた状態になる時に、前記把手ホルダー（６１）を利用し前記把手（２０）を前記ボトルブロー金型（４０）の上方に保持することを特徴とする、請求項２に記載のプラスチック容器の把手及びプリフォームを嵌め込むボトルブローモジュール。
【請求項６】
保持された前記把手（２０）は前記ボトルブロー金型（４０）が開いた状態の時に、前記スライドレール（６２）を利用し前記把手（２０）を前記ボトルブロー金型（４０）内へ前記プリフォーム（１０）の軸の向きと平行に上から下へと送ることを特徴とする、請求項５に記載のプラスチック容器の把手及びプリフォームを嵌め込むボトルブローモジュール。
【請求項７】
前記ボトルブロー金型（４０）に嵌め込まれる前記把手（２０）は、前記ボトルブロー金型（４０）が閉じた状態の時、把手定位槽（４１１）を利用し前記把手（２０）を前記ボトルブロー金型（４０）内に固定し、前記把手ホルダー（６１）から離脱し、キャビティ（４３）内で正確に位置調整されることを特徴とする、請求項６に記載のプラスチック容器の把手及びプリフォームを嵌め込むボトルブローモジュール。
【考案の詳細な説明】
【技術分野】
【０００１】
本考案は、プラスチック容器のボトルブローモジュール、より詳しくは、プラスチック容器の把手及びプリフォームを嵌め込むボトルブローモジュールに関する。
【背景技術】
【０００２】
従来の把手付きプラスチック容器の製造は、米国特許第５９８８４１８号、米国特許第００５４６９６１２号及び米国公開番号２００５／００１７１４５  Ａ１に記載されているような、先にブロー成形機でボトルを製造し、後からボトル上に把手を嵌め込む方式をとっている。しかし、この方式は嵌め込む工程が１つ多く、また製造コストも高い。
【０００３】
米国特許第６４４４１５８号にはボトルブロー成形の過程で、ボトルブロー金型の中にプリフォーム及び把手を同時に嵌め込み、金型の中でボトルを成形すると同時に把手を結合する内容が記載されている。しかし、このようにボトルブロー金型の中にプリフォーム及び把手を同時に嵌め込む方式は、嵌め込み経路がプリフォームの軸の向きに対して垂直であり、金型の正面から同時に把手とプリフォームを嵌め込むので、必要な機構の制限により生産性が低くなり、市場の需要を満たさない。また、米国特許第４９５２１３３号には、同じく同時にプリフォームと把手を嵌め込む方式で、プリフォームを加熱する前から把手とプリフォームの相対位置を固定し、加熱後に一緒に金型内に入れる内容が記載されているが、同様に生産性が低く、市場の需要を満たさない。
【先行技術文献】
【特許文献】
【０００４】
【特許文献１】米国特許第５９８８４１８号公報
【特許文献２】米国特許第５９８８４１８号公報
【特許文献３】米国公開番号２００５／００１７１４５  Ａ１
【特許文献４】米国特許第６４４４１５８号公報
【特許文献５】米国特許第４９５２１３３号公報
【考案の概要】
【考案が解決しようとする課題】
【０００５】
本考案の目的は、プラスチック容器のボトルブローモジュールのブロー成形過程において、把手及びプリフォームを個別に嵌め込むボトルブロー金型の提供である。
【課題を解決するための手段】
【０００６】
上述の目的を達成するため、本考案は、把手とプリフォームを個別に嵌め込む、プラスチック容器のボトルブローモジュールを提供する。本考案のボトルブローモジュールは可動支持部、ボトルブロー金型、プリフォーム定位機構及び把手定位機構を備える。前記ボトルブロー金型は開いた状態と閉じた状態を有し、前記可動支持部に設置される。前記把手定位機構は把手ホルダーを備え、前記ボトルブロー金型の上方に設置され、上下にスライドする。前記プリフォーム定位機構はプリフォームホルダーを備え、前記ボトルブロー金型の上方に設置され、上下にスライドする。
【０００７】
前記ボトルブロー金型が開いた状態になる時、前記把手は前記把手定位機構に保持される。前記ボトルブロー金型が開いた状態の時、前記プリフォーム定位機構は前記プリフォームを保持し、前記把手定位機構が前記プリフォームの軸の向きに対して平行に、把手を前記ボトルブロー金型内へ上から下に嵌め込む。前記ボトルブロー金型が開いた状態から閉じた状態へ移行した際、キャビティが形成され、前記把手をボトルブロー金型内へ固定され、前記キャビティ内に位置調整され、前記プリフォーム定位機構は前記プリフォームを前記ボトルブロー金型内へ上から下に位置調節を行い、同時に前記プリフォームの口を前記ボトルブロー金型に押さえつける。
【０００８】
本考案のプラスチック容器の把手及びプリフォームを嵌め込むボトルブローモジュールは、前記プリフォーム定位機構が、プリフォームホルダーと、圧迫部と、圧迫槽と、を備え、前記プリフォームホルダーは前記ボトルブロー金型の上方に設置され、前記プリフォームを保持し、上下にスライドし、前記把手定位機構は把手ホルダーと、スライドレールと、を備え、前記把手ホルダーは前記ボトルブロー金型の上方に設置され、前記把手を保持し、上下にスライドすることを特徴とする。
【０００９】
本考案のプラスチック容器の把手及びプリフォームを嵌め込むボトルブローモジュールは、前記プリフォーム定位機構が前記ボトルブロー金型の上方に設置され、前記ボトルブロー金型が開いた状態の時、前記圧迫槽を利用し、前記プリフォームを前記プリフォームホルダーにより保持することを特徴とする。
【００１０】
本考案のプラスチック容器の把手及びプリフォームを嵌め込むボトルブローモジュールは、前記プリフォーム定位機構が前記ボトルブロー金型の上方に設置され、前記ボトルブロー金型が開いた状態の時、前記圧迫槽を利用し、前記プリフォームを前記プリフォームホルダーにより保持することを特徴とする。
【００１１】
本考案のプラスチック容器の把手及びプリフォームを嵌め込むボトルブローモジュールは、保持された前記プリフォームがボトルブロー金型が閉じた状態の時、前記圧迫槽を利用し、前記プリフォームを前記ボトルブロー金型内へ軸の向きと平行に上から下へと位置調節し、前記圧迫部が前記プリフォームの口を前記ボトルブロー金型に押さえつけることを特徴とする。
【００１２】
本考案のプラスチック容器の把手及びプリフォームを嵌め込むボトルブローモジュールは、前記把手定位機構が前記ボトルブロー金型の上方に設置され、前記ボトルブロー金型が開いた状態になる時に、前記把手ホルダーを利用し前記把手を前記ボトルブロー金型の上方に保持することを特徴とする。
【００１３】
本考案のプラスチック容器の把手及びプリフォームを嵌め込むボトルブローモジュールは、保持された前記把手が、前記ボトルブロー金型が開いた状態の時に、前記スライドレールを利用し前記把手を前記ボトルブロー金型内へ前記プリフォームの軸の向きと平行に上から下へと送ることを特徴とする。
【００１４】
本考案のプラスチック容器の把手及びプリフォームを嵌め込むボトルブローモジュールは、前記ボトルブロー金型に嵌め込まれる前記把手が、前記ボトルブロー金型が閉じた状態の時、把手定位槽を利用し前記把手を前記ボトルブロー金型内に固定し、前記把手ホルダーから離脱し、キャビティ内で正確に位置調整されることを特徴とする。
【考案の効果】
【００１５】
このように、本考案はブロー成形の過程で、把手及びプリフォームを個別にボトルブロー金型内へ上から下へと入れることで、ブロー成形作業の過程で、前記プリフォームがボトルにブロー成形された際、同時に前記把手を前記ボトル上に固定することができ、製造上の需要を満たす。
【図面の簡単な説明】
【００１６】
【図１】本考案のボトルブローモジュールを示す説明図である。
【図２Ａ】本考案のボトルブローモジュールのブロー成形工程の局部動作を示す説明図１である。
【図２Ｂ】本考案のボトルブローモジュールのブロー成形工程の局部動作を示す説明図２である。
【図２Ｃ】本考案のボトルブローモジュールのブロー成形工程の局部動作を示す説明図３である。
【図２Ｄ】本考案のボトルブローモジュールのブロー成形工程の局部動作を示す説明図４である。
【図２Ｅ】本考案のボトルブローモジュールのブロー成形工程の局部動作を示す説明図５である。
【考案を実施するための形態】
【００１７】
以下、本考案の詳細な説明と技術内容を図面に基づいて説明する。
【００１８】
図１は、本考案のボトルブローモジュールを示す説明図であり、図２Ａ乃至図２Ｅは本考案のボトルブローモジュールのブロー成形工程の局部動作を示す説明図である。図１及び図２Ａ乃至図２Ｅに示すように、本考案のボトルブローモジュール９０は可動支持部３０、ボトルブロー金型４０、プリフォーム定位機構５０及び把手定位機構６０を備える。
【００１９】
ボトルブロー金型４０は開いた状態と閉じた状態を有し、可動支持部３０に設置される。ボトルブロー金型４０は一対の左右金型４１及び下部金型４２を備え、ボトルブロー金型４０が閉じた状態になるとキャビティ４３を構成する。左右金型４１は把手２０をボトルブロー金型４０内で位置調節するための一対の把手定位槽４１１を備える。左右金型４１は更にプリフォーム１０をボトルブロー金型４０内で位置調節し、ブロー成形工程の実施のためにプリフォーム１０の口を押さえつける一対のプリフォーム固定支持台４１２を備える。
【００２０】
プリフォーム定位機構５０はボトルブロー金型４０の上方に設置され、上下にスライドする。プリフォーム定位機構５０はプリフォームホルダー５１、圧迫部５２及び圧迫槽５３を備える。圧迫槽５３は第一工程及び第二工程を有する。ボトルブロー金型４０が開いた状態の時、プリフォーム定位機構５０は圧迫槽５３の第一工程を利用しプリフォーム１０をプリフォームホルダー５１により保持する。ボトルブロー金型４０が閉じた状態の時、圧迫槽５３の第二工程を利用しプリフォーム１０をボトルブロー金型４０内へ軸の向きと平行に上から下へと位置調節し、圧迫部５２がプリフォーム固定支持台４１２に押さえつける。
【００２１】
把手定位機構６０はボトルブロー金型４０の上方に設置され、上下にスライドする。把手定位機構６０は把手ホルダー６１及びスライドレール６２を備える。ボトルブロー金型４０が開いた状態になる前に、把手定位機構６０は把手２０を把手ホルダー６１によりボトルブロー金型４０上に保持する。ボトルブロー金型４０が開いた状態の時、スライドレール６２を利用し把手２０をボトルブロー金型４０内へプリフォーム１０の軸の向きと平行に上から下へと送る。ボトルブロー金型４０が閉じた状態の時、把手定位槽４１１を利用し把手２０をボトルブロー金型４０内の相対位置へ固定する。
【００２２】
図２Ａ乃至図２Ｅに示すように、本考案のブロー成形工程とそのステップは、まず把手ホルダー６１が把手２０をボトルブロー金型４０の上方に保持し（図２Ａ）、続いてボトルブロー金型４０が開いた状態の時に、圧迫槽５３の第一工程を利用しプリフォーム１０をプリフォームホルダー５１により保持する（図２Ｂ）。続いてボトルブロー金型４０が開いた状態の時に、スライドレール６２を利用し把手２０をボトルブロー金型４０内へプリフォーム１０の軸の向きと平行に上から下へと送る（図２Ｃ）。続いてボトルブロー金型４０が閉じた状態の時、把手定位槽４１１を利用し把手２０をボトルブロー金型４０内の相対位置へ固定する（図２Ｄ）。続いて圧迫槽５３の第二工程を利用しプリフォーム１０をボトルブロー金型４０内へ軸の向きと平行に上から下へと位置調節し、圧迫部５２がプリフォーム固定支持台４１２に押さえつける（図２Ｅ）。これによりプリフォーム１０及び把手２０はボトルブロー金型４０内でブロー成形作業を行うことができ、前記プリフォーム１０がボトルにブロー成形された際、同時に前記把手２０を前記ボトル上に固定する。
【００２３】
上述のように、本考案はボトルブロー金型４０がブロー成形の過程で、把手２０及びプリフォーム１０を個別にボトルブロー金型４０内へ上から下へと入れることで、ブロー成形作業の過程で、前記プリフォーム１０がボトルにブロー成形された際、同時に前記把手２０を前記ボトル上に固定することができ、製造上の需要を満たす。
【符号の説明】
【００２４】
１０    プリフォーム
２０    把手
３０    可動支持部
４０    ボトルブロー金型
４１    左右金型
４２    下部金型
４３    キャビティ
５０    プリフォーム定位機構
５１    プリフォームホルダー
５２    圧迫部
５３    圧迫槽
６０    把手定位機構
６１    把手ホルダー
６２    スライドレール
９０    ボトルブローモジュール
４１１  把手定位槽
４１２  プリフォーム固定支持台
【図１】
0003167249.tif 000003
【図２Ａ】
0003167249.tif 000004
【図２Ｂ】
0003167249.tif 000005
【図２Ｃ】
0003167249.tif 000006
【図２Ｄ】
0003167249.tif 000007
【図２Ｅ】
0003167249.tif 000008